(57)【要約】【課題】コストの増大を抑制しつつ、頻繁に非自店メダルを持ち込む常習者を特定すること。【解決手段】メダル計数機１００は、計数するメダルの中に所定数以上の非自店メダルが含まれている場合、カメラによって計数者の顔画像を取得し、ホールコンピュータ３００へ送信して過去にも非自店メダルの計数を行っているか否かを照合する。そして、計数者が非自店メダル計数の常習者である場合は、レシート発行機２００は、通常とは異なる特殊なレシートを発行する。ホールコンピュータ３００は、メダル計数機１００において所定数以上の非自店メダルが計数された場合に、計数者の顔画像を記憶しておくとともに、過去に同一人物によって非自店メダルが計数されているか否かを判定する。【選択図】        図１
2007143934.tif 000002
【特許請求の範囲】
【請求項１】
遊技に使用される遊技媒体を計数する遊技媒体計数装置と前記遊技媒体計数装置と通信可能な管理装置とを備える遊技媒体計数システムであって、
前記遊技媒体計数装置は、
自店遊技媒体の模様画像を登録する登録手段と、
前記登録手段によって登録された模様画像との比較により、計数者が投入した遊技媒体を自店遊技媒体と非自店遊技媒体とに判別する判別手段と、
前記計数者が投入した遊技媒体に含まれる非自店遊技媒体を計数する計数手段と、
前記計数手段によって計数された非自店遊技媒体数が所定数以上である場合に、前記計数者を撮像する撮像手段とを有し、
前記管理装置は、
過去に非自店遊技媒体を所定数以上計数した計数者の画像を記憶する記憶手段と、
前記撮像手段によって得られた撮像画像に合致する画像が前記記憶手段に所定数以上記憶されている場合に、前記撮像手段によって撮像された計数者が非自店遊技媒体計数の常習者であると判定する判定手段とを有する
ことを特徴とする遊技媒体計数システム。
【請求項２】
遊技に使用される遊技媒体を計数する遊技媒体計数装置と前記遊技媒体計数装置と通信可能な管理装置とを備える遊技媒体計数システムであって、
前記遊技媒体計数装置は、
自店遊技媒体の模様画像を登録する登録手段と、
前記登録手段によって登録された模様画像との比較により、計数者が投入した遊技媒体を自店遊技媒体と非自店遊技媒体とに判別する判別手段と、
前記計数者が投入した遊技媒体に含まれる非自店遊技媒体を計数する計数手段と、
前記計数者を撮像する撮像手段とを有し、
前記管理装置は、
過去に計数を行ったすべての計数者の画像と計数した非自店遊技媒体数とを対応付けて時系列に記憶する記憶手段と、
前記撮像手段によって撮像された計数者の非自店遊技媒体数と前記計数者に合致する画像に対応付けられた非自店遊技媒体数とが連続して所定数以上である場合に、前記計数者が非自店遊技媒体計数の常習者であると判定する判定手段とを有する
ことを特徴とする遊技媒体計数システム。
【請求項３】
前記管理装置は、遊技店内を統括管理するホールコンピュータであることを特徴とする請求項１または請求項２記載の遊技媒体計数システム。
【請求項４】
前記遊技媒体計数装置は、
前記判定手段による判定結果を取得する取得手段と、
前記取得手段によって取得された判定結果が計数者が非自店遊技媒体計数の常習者であることを示す場合に、通常のレシートとは異なる特殊レシートを発行する発行手段と
をさらに有することを特徴とする請求項１〜３のいずれか一つに記載の遊技媒体計数システム。
【請求項５】
前記発行手段は、
通常のレシートに記載されていない特定のマークが付加された特殊レシートを発行することを特徴とする請求項１〜３のいずれか一つに記載の遊技媒体計数システム。
【請求項６】
前記発行手段は、
通常のレシートとは異なる紙色の特殊レシートを発行することを特徴とする請求項１〜３のいずれか一つに記載の遊技媒体計数システム。
【請求項７】
前記発行手段は、
通常のレシートとは異なる印字色の特殊レシートを発行することを特徴とする請求項１〜３のいずれか一つに記載の遊技媒体計数システム。
【請求項８】
計数者が所持するレシートに応じた景品交換を管理する景品管理装置をさらに有し、
前記景品管理装置は、
前記判定手段による判定結果を取得する取得手段と、
前記計数者が所持するレシートを読み取る読取手段と、
前記取得手段によって取得された判定結果が計数者が非自店遊技媒体計数の常習者であることを示す場合に、前記読取手段によって読み取られたレシートから前記判定結果に係る計数者のレシートを検出する検出手段と、
前記検出手段によって検出されたレシートを所持する計数者が非自店遊技媒体計数の常習者である旨の警告を表示する表示手段と
を有することを特徴とする請求項１〜３のいずれか一つに記載の遊技媒体計数システム。
【請求項９】
遊技に使用される遊技媒体を計数する遊技媒体計数装置であって、
自店遊技媒体の模様画像を登録する登録手段と、
前記登録手段によって登録された模様画像との比較により、計数者が投入した遊技媒体を自店遊技媒体と非自店遊技媒体とに判別する判別手段と、
前記計数者が投入した遊技媒体に含まれる非自店遊技媒体を計数する計数手段と、
前記計数手段によって計数された非自店遊技媒体数が所定数以上である場合に、前記計数者を撮像する撮像手段と
を有することを特徴とする遊技媒体計数装置。
【請求項１０】
遊技店内の装置と通信可能な管理装置であって、
過去に非自店遊技媒体を所定数以上計数した計数者の画像を記憶する記憶手段と、
非自店遊技媒体を所定数以上計数した計数者の撮像画像に合致する画像が前記記憶手段に所定数以上記憶されている場合に、撮像された計数者が非自店遊技媒体計数の常習者であると判定する判定手段と
を有することを特徴とする管理装置。
【請求項１１】
遊技に使用される遊技媒体を計数する遊技媒体計数装置と前記遊技媒体計数装置と通信可能な管理装置とを備える遊技媒体計数システムにおける遊技媒体計数方法であって、
前記遊技媒体計数装置が、
自店遊技媒体の模様画像を登録する登録工程と、
前記登録工程にて登録された模様画像との比較により、計数者が投入した遊技媒体を自店遊技媒体と非自店遊技媒体とに判別する判別工程と、
前記計数者が投入した遊技媒体に含まれる非自店遊技媒体を計数する計数工程と、
前記計数工程にて計数された非自店遊技媒体数が所定数以上である場合に、前記計数者を撮像する撮像工程と、
前記管理装置が、
過去に非自店遊技媒体を所定数以上計数した計数者の画像であって前記撮像工程にて得られた撮像画像に合致する画像が所定数以上記憶されている場合に、前記撮像工程にて撮像された計数者が非自店遊技媒体計数の常習者であると判定する判定工程とを有する
ことを特徴とする遊技媒体計数方法。
【発明の詳細な説明】
【技術分野】
【０００１】
本発明は、遊技に使用される遊技媒体を計数する遊技媒体計数装置と遊技媒体計数装置と通信可能な管理装置とを備える遊技媒体計数システムおよび遊技媒体計数方法に関し、特に、コストの増大を抑制しつつ、頻繁に非自店メダルを持ち込む常習者を特定することができる遊技媒体計数システム、遊技媒体計数装置、ホールコンピュータ、および遊技媒体計数方法に関する。
【背景技術】
【０００２】
従来、メダルを遊技媒体とするスロットマシン（パチスロ機）などの遊技機が設置された遊技店では、メダルを貸し出すメダル貸出機と、メダルを計数するメダル計数機とが設置されているのが一般的である。具体的には、メダル貸出機は、パチスロ機に併設されており、遊技客によって紙幣が挿入されると、所定枚数のメダルを投出し、遊技客は、このメダル貸出機から投出されたメダルを使用することによりパチスロ機による遊技を行うことができる。一方、メダル計数機は、遊技店内に数ヶ所設置されており、遊技によって得られた賞メダルが投入されると、賞メダルの数を計数し、賞メダル数が記載されたレシートを併設されたレシート発行機に発行させる。
【０００３】
一般的なメダル計数機としては、投入されたメダルを回転円板で１枚ずつ繰り出し、繰り出されたメダルの枚数を計数センサで計数するものが知られている（例えば、特許文献１参照）。しかし、この種のメダル計数機の計数センサは、光の透過や反射でメダルの有無を判断する光学式センサ（フォトインタラプタ）を採用しているため、正当な自店メダル以外の他店メダルや同じサイズの偽造メダル（以下、これらをまとめて「非自店メダル」という）が投入されても、区別せずに自店メダルとして計数してしまう。
【０００４】
そこで、自店メダルを非自店メダルから区別するために、自店メダルを特殊な材質で製造し、メダル計数機で計数する際に、投入されたメダルの材質をチェックすることが考えられている（例えば、特許文献２参照）。また、自店メダルに非接触型ＩＣチップを埋め込み、メダル計数機で計数する際に、ＩＣチップの有無やＩＣチップに記憶されたデータ内容をチェックすることも検討されている（例えば、特許文献３参照）。
【０００５】
【特許文献１】特開平９−３５１０７号公報
【特許文献２】特開平９−２９９６０４号公報
【特許文献３】特開２００２−１７７６２６号公報
【発明の開示】
【発明が解決しようとする課題】
【０００６】
しかしながら、上述のように、メダルを特殊な材質で作成したり、メダルに非接触ＩＣチップを埋め込んだりすると、メダル作成のコストが大幅に増大するという問題がある。つまり、上述した従来技術では、遊技店で使用している既存のメダルを使用することはできず、新たに特殊な材質のメダルやＩＣチップを埋め込んだメダルなど、既存のメダルよりも作成単価が高いメダルを作成する必要が生じる。さらに、遊技店で使用されるメダル数は極めて多いため、結果として、遊技店の経営に悪影響を与えることとなる。
【０００７】
また、上述の従来技術によって、計数されたメダルが非自店メダルであると判定されても、この非自店メダルが計数した遊技客によって遊技店に持ち込まれたとは限らない。すなわち、悪意のある遊技客によって持ち込まれた非自店メダルが遊技店内で循環されて、他の遊技客の賞メダルに混入していることも考えられる。したがって、非自店メダルを計数した遊技客の中でも、特に、頻繁に非自店メダルを持ち込む常習者のみを特定することが望ましい。
【０００８】
本発明はかかる点に鑑みてなされたものであり、コストの増大を抑制しつつ、頻繁に非自店メダルを持ち込む常習者を特定することができる遊技媒体計数システム、遊技媒体計数装置、管理装置、および遊技媒体計数方法を提供することを目的とする。
【課題を解決するための手段】
【０００９】
上記課題を解決するために、本発明は、遊技に使用される遊技媒体を計数する遊技媒体計数装置と前記遊技媒体計数装置と通信可能な管理装置とを備える遊技媒体計数システムであって、前記遊技媒体計数装置は、自店遊技媒体の模様画像を登録する登録手段と、前記登録手段によって登録された模様画像との比較により、計数者が投入した遊技媒体を自店遊技媒体と非自店遊技媒体とに判別する判別手段と、前記計数者が投入した遊技媒体に含まれる非自店遊技媒体を計数する計数手段と、前記計数手段によって計数された非自店遊技媒体数が所定数以上である場合に、前記計数者を撮像する撮像手段とを有し、前記管理装置は、過去に非自店遊技媒体を所定数以上計数した計数者の画像を記憶する記憶手段と、前記撮像手段によって得られた撮像画像に合致する画像が前記記憶手段に所定数以上記憶されている場合に、前記撮像手段によって撮像された計数者が非自店遊技媒体計数の常習者であると判定する判定手段とを有することを特徴とする。
【００１０】
また、本発明は、遊技に使用される遊技媒体を計数する遊技媒体計数装置と前記遊技媒体計数装置と通信可能な管理装置とを備える遊技媒体計数システムであって、前記遊技媒体計数装置は、自店遊技媒体の模様画像を登録する登録手段と、前記登録手段によって登録された模様画像との比較により、計数者が投入した遊技媒体を自店遊技媒体と非自店遊技媒体とに判別する判別手段と、前記計数者が投入した遊技媒体に含まれる非自店遊技媒体を計数する計数手段と、前記計数者を撮像する撮像手段とを有し、前記管理装置は、過去に計数を行ったすべての計数者の画像と計数した非自店遊技媒体数とを対応付けて時系列に記憶する記憶手段と、前記撮像手段によって撮像された計数者の非自店遊技媒体数と前記計数者に合致する画像に対応付けられた非自店遊技媒体数とが連続して所定数以上である場合に、前記計数者が非自店遊技媒体計数の常習者であると判定する判定手段とを有することを特徴とする。
【００１１】
また、本発明は、上記発明において、前記管理装置は、遊技店内を統括管理するホールコンピュータであることを特徴とする。
【００１２】
また、本発明は、上記発明において、前記遊技媒体計数装置は、前記判定手段による判定結果を取得する取得手段と、前記取得手段によって取得された判定結果が計数者が非自店遊技媒体計数の常習者であることを示す場合に、通常のレシートとは異なる特殊レシートを発行する発行手段とをさらに有することを特徴とする。
【００１３】
また、本発明は、上記発明において、前記発行手段は、通常のレシートに記載されていない特定のマークが付加された特殊レシートを発行することを特徴とする。
【００１４】
また、本発明は、上記発明において、前記発行手段は、通常のレシートとは異なる紙色の特殊レシートを発行することを特徴とする。
【００１５】
また、本発明は、上記発明において、前記発行手段は、通常のレシートとは異なる印字色の特殊レシートを発行することを特徴とする。
【００１６】
また、本発明は、上記発明において、計数者が所持するレシートに応じた景品交換を管理する景品管理装置をさらに有し、前記景品管理装置は、前記判定手段による判定結果を取得する取得手段と、前記計数者が所持するレシートを読み取る読取手段と、前記取得手段によって取得された判定結果が計数者が非自店遊技媒体計数の常習者であることを示す場合に、前記読取手段によって読み取られたレシートから前記判定結果に係る計数者のレシートを検出する検出手段と、前記検出手段によって検出されたレシートを所持する計数者が非自店遊技媒体計数の常習者である旨の警告を表示する表示手段とを有することを特徴とする。
【００１７】
また、本発明は、遊技に使用される遊技媒体を計数する遊技媒体計数装置であって、自店遊技媒体の模様画像を登録する登録手段と、前記登録手段によって登録された模様画像との比較により、計数者が投入した遊技媒体を自店遊技媒体と非自店遊技媒体とに判別する判別手段と、前記計数者が投入した遊技媒体に含まれる非自店遊技媒体を計数する計数手段と、前記計数手段によって計数された非自店遊技媒体数が所定数以上である場合に、前記計数者を撮像する撮像手段とを有することを特徴とする。
【００１８】
また、本発明は、遊技店内の装置と通信可能な管理装置であって、過去に非自店遊技媒体を所定数以上計数した計数者の画像を記憶する記憶手段と、非自店遊技媒体を所定数以上計数した計数者の撮像画像に合致する画像が前記記憶手段に所定数以上記憶されている場合に、撮像された計数者が非自店遊技媒体計数の常習者であると判定する判定手段とを有することを特徴とする。
【００１９】
また、本発明は、遊技に使用される遊技媒体を計数する遊技媒体計数装置と前記遊技媒体計数装置と通信可能な管理装置とを備える遊技媒体計数システムにおける遊技媒体計数方法であって、前記遊技媒体計数装置が、自店遊技媒体の模様画像を登録する登録工程と、前記登録工程にて登録された模様画像との比較により、計数者が投入した遊技媒体を自店遊技媒体と非自店遊技媒体とに判別する判別工程と、前記計数者が投入した遊技媒体に含まれる非自店遊技媒体を計数する計数工程と、前記計数工程にて計数された非自店遊技媒体数が所定数以上である場合に、前記計数者を撮像する撮像工程と、前記管理装置が、過去に非自店遊技媒体を所定数以上計数した計数者の画像であって前記撮像工程にて得られた撮像画像に合致する画像が所定数以上記憶されている場合に、前記撮像工程にて撮像された計数者が非自店遊技媒体計数の常習者であると判定する判定工程とを有することを特徴とする。
【発明の効果】
【００２０】
本発明は、遊技媒体計数装置が、自店遊技媒体の模様画像を登録し、登録された模様画像との比較により、計数者が投入した遊技媒体を自店遊技媒体と非自店遊技媒体とに判別し、計数者が投入した遊技媒体に含まれる非自店遊技媒体を計数し、非自店遊技媒体数が所定数以上である場合に、計数者を撮像し、管理装置が、過去に非自店遊技媒体を所定数以上計数した計数者の画像を記憶し、計数者を撮像して得られた撮像画像に合致する画像が所定数以上記憶されている場合に、撮像された計数者が非自店遊技媒体計数の常習者であると判定する。このため、既存の自店メダルが使用されていても自店メダルと非自店メダルを区別することができるとともに、複数回にわたって非自店メダルを計数した計数者のみを特定するので、コストの増大を抑制しつつ、頻繁に非自店メダルを持ち込む常習者を特定することができる。
【００２１】
また、本発明は、遊技媒体計数装置が、自店遊技媒体の模様画像を登録し、登録された模様画像との比較により、計数者が投入した遊技媒体を自店遊技媒体と非自店遊技媒体とに判別し、計数者が投入した遊技媒体に含まれる非自店遊技媒体を計数し、計数者を撮像し、管理装置が、過去に計数を行ったすべての計数者の画像と計数した非自店遊技媒体数とを対応付けて時系列に記憶し、撮像された計数者の非自店遊技媒体数と計数者に合致する画像に対応付けられた非自店遊技媒体数とが連続して所定数以上である場合に、計数者が非自店遊技媒体計数の常習者であると判定する。このため、所定枚数以上の非自店メダル計数を連続して行った計数者が常習者であると判定されるため、より確実に非自店メダル計数の常習者のみを特定することができる。
【００２２】
また、本発明は、管理装置が遊技店内を統括管理するホールコンピュータであるため、新たに装置を設置することなく非自店メダル計数の常習者を特定することができ、コストの増大を抑制することができる。
【００２３】
また、本発明は、遊技媒体計数装置は、判定結果を取得し、取得された判定結果が計数者が非自店遊技媒体計数の常習者であることを示す場合に、通常のレシートとは異なる特殊レシートを発行するため、景品管理装置の係員は、計数者が所持するレシートによって、この計数者が非自店メダル計数の常習者であるか否かを把握することができる。
【００２４】
また、本発明は、通常のレシートに記載されていない特定のマークが付加された特殊レシートを発行する。また、本発明は、通常のレシートとは異なる紙色の特殊レシートを発行する。また、本発明は、通常のレシートとは異なる印字色の特殊レシートを発行する。このため、特殊レシートであるか否かを目視で確認することができ、景品管理装置の係員は、即座に計数者が非自店メダル計数の常習者であるか否かを把握することができる。
【００２５】
また、本発明は、景品管理装置は、判定結果を取得し、計数者が所持するレシートを読み取り、取得された判定結果が計数者が非自店メダル計数の常習者であることを示す場合に、読み取られたレシートから判定結果に係る計数者のレシートを検出し、検出されたレシートを所持する計数者が非自店メダル計数の常習者である旨の警告を表示する。このため、景品管理装置の係員は、警告によって計数者が非自店メダル計数の常習者であると把握することができるとともに、レシート自体は通常のものと変わらないので、計数者本人が常習者であると判定されたことに気づくことがない。
【発明を実施するための最良の形態】
【００２６】
以下、本発明の実施の形態について、図面を参照して詳細に説明する。
【００２７】
（実施の形態１）
図１は、本発明の実施の形態１に係るメダル計数システムを備えた遊技システムの概略図である。この遊技システムにおいては、遊技店全体を統括管理するホールコンピュータ３００に島コントローラ５１０、メダル計数機１００、および景品管理装置４００が接続されている。そして、島コントローラ５１０には、各島に属する複数のパチスロ機５２０およびメダル貸出機５３０が接続されており、メダル計数機１００には、レシート発行機２００が併設されている。
【００２８】
メダル計数機１００およびレシート発行機２００は、例えば図２に示すように接続されており、メダル計数機１００が投入されたメダルを計数し、計数されたメダルの枚数が記載されたレシートをレシート発行機２００が発行する。ここでは、メダル計数機１００とレシート発行機２００とを別体として構成したが、メダル計数機１００とレシート発行機２００とを一体化しても良い。
【００２９】
また、メダル計数機１００は、計数するメダルの中に所定数以上の非自店メダルが含まれている場合、カメラ１０２によって計数者の顔画像を取得し、ホールコンピュータ３００へ送信して過去にも非自店メダルの計数を行っているか否かを照合する。この照合によって、計数者が非自店メダルを常習的に計数しているか否かが判明する。そして、計数者が非自店メダル計数の常習者である場合は、レシート発行機２００は、通常とは異なる特殊なレシートを発行する。これらの処理については後に詳述する。
【００３０】
ホールコンピュータ３００は、島コントローラ５１０を通して各島のパチスロ機５２０における賞メダルの払い出しやメダル貸出機５３０によるメダルの貸し出しを管理したり、メダル計数機１００によるメダルの計数結果を管理したり、景品管理装置４００における景品交換処理を管理したりする。また、本実施の形態においては、ホールコンピュータ３００は、メダル計数機１００において所定数以上の非自店メダルが計数された場合に、計数者の顔画像を記憶しておくとともに、過去に同一人物によって非自店メダルが計数されているか否かを判定する。この処理については後に詳述する。
【００３１】
景品管理装置４００は、レシート発行機２００によって発行されたレシートを読み取り、レシートに記載されたメダル数に応じた特殊景品の数量を算出する。算出された特殊景品の数量は、遊技店の係員および遊技客によって目視で確認され、算出された数量の特殊景品が遊技店の係員から遊技客へ渡される。また、算出された数量の特殊景品が景品管理装置４００に接続される図示しない景品払出機から自動的に払い出されるようにしても良い。
【００３２】
図３は、本実施の形態に係るメダル計数機１００の要部構成を示すブロック図である。図３に示すメダル計数機１００は、カメラ１０２、自店メダル登録部１０４、自店メダル記憶部１０６、メダル判別部１０８、計数部１１０、閾値判定部１１２、照合要求送信部１１４、判定結果受信部１１６、レシート種別決定部１１８、および非自店メダル回収部１２０を有している。
【００３３】
カメラ１０２は、メダル計数機１００によってメダルを計数する計数者の顔画像が撮像可能な位置に取り付けられており、閾値判定部１１２からの指示に従って計数者の顔画像を撮像する。具体的には、カメラ１０２は、計数者が計数したメダルに所定の閾値以上の非自店メダルが含まれている場合、計数者の顔画像を撮像する。なお、本実施の形態においては、カメラ１０２がメダル計数機１００に取り付けられるものとしたが、計数者の顔画像を撮像可能な位置に設置されている防犯カメラなどがホールコンピュータ３００の制御によって計数者の顔画像を撮像するようにしても良い。
【００３４】
自店メダル登録部１０４は、自店メダルの表面および裏面に形成された模様の画像を例えば図示しないカメラやスキャナなどによって取り込む。なお、自店メダル登録部１０４は、専用のカメラやスキャナを用いるのではなく、例えばメダル計数機１００を登録モードに設定した状態で自店メダルを計数することで自店メダルの模様画像を取得するようにしても良い。自店メダル記憶部１０６は、自店メダル登録部１０４によって取り込まれた自店メダルの模様画像を記憶しておく。メダル判別部１０８は、計数者によって投入されたメダルの模様を取得して自店メダル記憶部１０６に記憶された模様画像と比較し、所定の画像処理によって、個々のメダルが自店メダルであるか非自店メダルであるかを判別する。
【００３５】
自店メダル登録部１０４、自店メダル記憶部１０６、およびメダル判別部１０８による処理は、上記に限定されるものではなく、例えば自店メダル登録部１０４は、自店メダルの模様画像におけるヒストグラムなどの特徴量を算出し、自店メダル記憶部１０６は、自店メダルに関する特徴量を記憶しておいても良い。この場合は、メダル判別部１０８は、投入されたメダルのヒストグラムを算出し、自店メダル記憶部１０６に記憶されたヒストグラムと比較することになる。
【００３６】
計数部１１０は、計数者によって投入されたメダルを計数する。このとき、計数部１１０は、自店メダル数と非自店メダル数とを分けて計数する。本実施の形態においては、メダル判別部１０８によって既に自店メダルおよび非自店メダルが判別されているため、自店メダルと非自店メダルの別を問わずにメダルの枚数を計数すれば良い。このため、計数部１１０は、光学式センサ（フォトインタラプタ）を採用した計数センサによってメダルの枚数を計数しても良い。
【００３７】
閾値判定部１１２は、非自店メダルの数を所定の閾値と比較し、非自店メダル数が所定の閾値以上である場合は、カメラ１０２に対して計数者の顔画像を撮像するように指示するとともに、自店メダル数および非自店メダル数と発行予定のレシートＩＤとを照合要求送信部１１４およびレシート種別決定部１１８へ通知する。また、非自店メダル数が所定の閾値未満である場合は、閾値判定部１１２は、自店メダル数および非自店メダル数と発行予定のレシートＩＤとをレシート種別決定部１１８のみへ通知する。なお、レシートＩＤとは、レシート発行機２００から発行されるレシートを識別するためのＩＤであり、例えば毎日開店から閉店までの通し番号などがレシートに付与される。また、閾値判定部１１２は、非自店メダルの絶対数を所定の閾値と比較する代わりに、非自店メダルが計数されたメダル数全体に占める割合を所定の閾値と比較するなどとしても良い。
【００３８】
照合要求送信部１１４は、カメラ１０２によって撮像された計数者の顔画像を過去に所定の閾値以上の非自店メダルを計数した人物の顔画像と照合する旨の照合要求をホールコンピュータ３００へ送信する。この照合要求には、撮像された計数者の顔画像、計数された自店メダル数および非自店メダル数、ならびに発行予定のレシートＩＤが含まれている。
【００３９】
判定結果受信部１１６は、ホールコンピュータ３００による判定結果を受信する。この判定結果は、カメラ１０２によって撮像された計数者が過去にも所定の閾値以上の非自店メダルを計数しているか否かを示しているものであり、計数者が常習的に非自店メダルを持ち込んでいるか否かが判明する。
【００４０】
レシート種別決定部１１８は、計数者が常習的に非自店メダルを持ち込んでいるか否かに応じて、レシート発行機２００が発行するレシートを通常レシートとするか特殊レシートとするか決定し、決定されたレシート種別を、自店メダル数および非自店メダル数とレシートＩＤとを含むレシート内容ともにレシート発行機２００へ通知する。
【００４１】
非自店メダル回収部１２０は、メダルが計数部１１０によって計数された後、非自店メダルのみを回収し、遊技店内で非自店メダルが循環しないようにする。具体的には、例えば計数部１１０の計数センサの後段に、メダル判別部１０８による判別結果に応じてメダルを振り分ける機構を設けておき、自店メダルは遊技店内を循環する経路を通る一方、非自店メダルは非自店メダル回収部１２０に回収されるようにしておく。
【００４２】
図４は、本実施の形態に係るホールコンピュータ３００の要部構成を示すブロック図である。図４に示すホールコンピュータ３００は、照合要求受信部３０２、非自店メダル計数データベース（以下「非自店メダル計数ＤＢ」と略記する）部３０４、画像照合部３０６、データ登録部３０８、合致件数判定部３１０、および判定結果送信部３１２を有している。
【００４３】
照合要求受信部３０２は、メダル計数機１００から送信された照合要求を受信し、照合要求に含まれている計数者の顔画像、自店メダル数および非自店メダル数、ならびにレシートＩＤを画像照合部３０６へ出力する。
【００４４】
非自店メダル計数ＤＢ部３０４は、過去にメダル計数機１００によって所定の閾値以上の非自店メダルを計数した計数者の顔画像を記憶している。具体的には、非自店メダル計数ＤＢ部３０４は、非自店メダルを計数した計数者の顔画像と計数された日時や非自店メダル数などとを対応付けたテーブルを記憶している。
【００４５】
画像照合部３０６は、照合要求に含まれる計数者の顔画像を非自店メダル計数ＤＢ部３０４に記憶された顔画像と照合し、非自店メダル計数ＤＢ部３０４に記憶された顔画像の中で計数者の顔画像と合致する件数を合致件数判定部３１０へ通知する。また、画像照合部３０６は、計数者の顔画像、自店メダル数および非自店メダル数、ならびにレシートＩＤをデータ登録部３０８へ出力する。データ登録部３０８は、今回新たに撮像された計数者の顔画像をメダル数やレシートＩＤと対応付けて、非自店メダル計数ＤＢ部３０４に登録する。
【００４６】
合致件数判定部３１０は、非自店メダル計数ＤＢ部３０４に記憶された顔画像のうち、計数者の顔画像と合致した件数が所定の閾値以上であるか否かを判定する。非自店メダル計数ＤＢ部３０４に記憶された顔画像は、過去に所定数以上の非自店メダルを計数した人物のものであるため、合致した件数が多ければ多いほど計数者が常習的に非自店メダルを計数していることがわかる。したがって、合致件数判定部３１０は、合致件数を所定の閾値と比較することにより、計数者が非自店メダルを計数する常習者であるか否かを判定している。
【００４７】
判定結果送信部３１２は、合致件数が所定の閾値以上であれば計数者が常習的に非自店メダルを計数している旨の判定結果をメダル計数機１００へ送信し、合致件数が所定の閾値未満であれば計数者が常習的には非自店メダルを計数していない旨の判定結果をメダル計数機１００へ送信する。
【００４８】
次いで、上記のように構成されたメダル計数機１００およびホールコンピュータ３００を有するメダル計数システムの動作について、図５に示すフロー図を参照しながら説明する。
【００４９】
計数者がメダル計数機１００にメダルを投入すると（ステップＳ１０１）、投入されたメダルの模様は、メダル判別部１０８によって自店メダル記憶部１０６に記憶されている自店メダルの模様画像と比較され、個々のメダルが自店メダルであるか否かが判別される（ステップＳ１０２）。その後、自店メダルおよび非自店メダルそれぞれの枚数が計数部１１０によって計数され（ステップＳ１０３）、非自店メダルは非自店メダル回収部１２０によって回収される。
【００５０】
計数部１１０の計数によって得られた自店メダル数および非自店メダル数は、閾値判定部１１２へ通知され、非自店メダル数が所定の閾値と比較される（ステップＳ１０４）。この結果、非自店メダル数が所定の閾値未満である場合は（ステップＳ１０４否定）、計数者が意図的な非自店メダルの計数を行っていないと判断され、閾値判定部１１２から自店メダル数および非自店メダル数とレシートＩＤとがレシート種別決定部１１８へ出力される。そして、計数者が意図的な非自店メダルの計数を行っていないことから、レシート種別決定部１１８によって、通常のレシートを発行することが決定され、通常レシートを発行する旨とともに、メダル数およびレシートＩＤを含むレシート内容がレシート発行機２００へ送信される（ステップＳ１１０）。レシート発行機２００は、メダル計数機１００からレシート内容を受信すると、自店メダル数および非自店メダル数を合計したメダル数およびレシートＩＤが記載された通常のレシートを発行する（ステップＳ１１１）。
【００５１】
一方、閾値判定部１１２による比較の結果、非自店メダル数が所定の閾値以上である場合は（ステップＳ１０４肯定）、閾値判定部１１２からカメラ１０２へ計数者の顔画像を撮像するよう指示される。この指示を受け、カメラ１０２によって計数者の顔画像が撮像される（ステップＳ１０５）。撮像された計数者の顔画像は、照合要求送信部１１４へ出力される。
【００５２】
また、閾値判定部１１２から自店メダル数および非自店メダル数とレシートＩＤとが照合要求送信部１１４およびレシート種別決定部１１８へ出力される。そして、照合要求送信部１１４によって、計数者の顔画像、自店メダル数および非自店メダル数、ならびにレシートＩＤを含み、計数者の顔画像を過去に非自店メダルを計数した人物の顔画像と照合する旨の照合要求がホールコンピュータ３００へ送信される。
【００５３】
送信された照合要求は、ホールコンピュータ３００の照合要求受信部３０２によって受信され、画像照合部３０６によって、計数者の顔画像と非自店メダル計数ＤＢ部３０４に記憶されている顔画像とが照合される（ステップＳ１０６）。画像照合の結果、非自店メダル計数ＤＢ部３０４に記憶されている顔画像のうち、計数者の顔画像と合致する顔画像の件数が合致件数判定部３１０へ通知される。また、画像照合が完了すると、計数者の顔画像、自店メダル数および非自店メダル数、ならびにレシートＩＤはデータ登録部３０８へ出力され、データ登録部３０８によって、計数者の顔画像がメダル数やレシートＩＤと対応付けられ、非自店メダル計数ＤＢ部３０４に登録される。
【００５４】
顔画像の合致件数が合致件数判定部３１０へ通知されると、合致件数が所定の閾値と比較される（ステップＳ１０７）。合致件数は、計数者の顔画像が非自店メダル計数ＤＢ部３０４に記憶されている顔画像と合致する件数であるため、計数者が過去にも非自店メダルを頻繁に計数していれば、合致件数は多くなる。したがって、合致件数が所定の閾値未満である場合は（ステップＳ１０７否定）、計数者が非自店メダル計数の常習者ではないと判断され、その旨の判定結果が判定結果送信部３１２からメダル計数機１００へ送信される。
【００５５】
送信された判定結果は、メダル計数機１００の判定結果受信部１１６によって受信され、計数者が非自店メダル計数の常習者ではないことから、レシート種別決定部１１８によって、通常のレシートを発行することが決定され、通常レシートを発行する旨とともに、メダル数およびレシートＩＤを含むレシート内容がレシート発行機２００へ送信される（ステップＳ１１０）。レシート発行機２００は、メダル計数機１００からレシート内容を受信すると、自店メダル数および非自店メダル数を合計したメダル数およびレシートＩＤが記載された通常レシートを発行する（ステップＳ１１１）。
【００５６】
一方、合致件数判定部３１０による比較の結果、合致件数が所定の閾値以上である場合は（ステップＳ１０７肯定）、計数者が非自店メダル計数の常習者であると判断され、その旨の判定結果が判定結果送信部３１２からメダル計数機１００へ送信される。
【００５７】
送信された判定結果は、メダル計数機１００の判定結果受信部１１６によって受信され、計数者が非自店メダル計数の常習者であることから、レシート種別決定部１１８によって、特殊なレシートを発行することが決定され、特殊レシートを発行する旨とともに、メダル数およびレシートＩＤを含むレシート内容がレシート発行機２００へ送信される（ステップＳ１０８）。ここで、特殊レシートとは、例えば通常レシートと紙色が異なっていたり、印字色が異なっていたりするものである。また、特殊レシートには、特定のマークが付いているなどとしても良い。レシート発行機２００は、メダル計数機１００からレシート内容を受信すると、自店メダル数および非自店メダル数を合計したメダル数およびレシートＩＤが記載された特殊レシートを発行する（ステップＳ１０９）。
【００５８】
次に、計数者が非自店メダル計数の常習者である場合のメダル計数機１００、レシート発行機２００、およびホールコンピュータ３００のそれぞれの動作について、図６に示すシーケンス図を参照しながら具体的に例を挙げて説明する。
【００５９】
非自店メダルの計数を頻繁に行う常習者は、非自店メダルのみを計数するのではなく、遊技によって得られた賞メダル（自店メダル）に非自店メダルを加えて計数することが多いと考えられる。つまり、計数者が非自店メダル計数の常習者である場合、メダル計数機１００には、自店メダルに非自店メダルが混入した状態のメダルが投入される。これらのメダルは、メダル計数機１００のメダル判別部１０８によって自店メダルであるか非自店メダルであるか判別される（ステップＳ２０１）。判別されたメダルは、計数部１１０によって計数され、非自店メダルのみが非自店メダル回収部１２０によって回収される（ステップＳ２０２）。これにより、非自店メダルが遊技店内のメダル循環経路から外れ、遊技店内を循環することがない。
【００６０】
自店メダル数および非自店メダル数は、閾値判定部１１２へ通知され、非自店メダル数が所定枚数以上であるか否かが判定される。ここでは、計数者が非自店メダル計数の常習者であるため、非自店メダル数が所定の枚数以上であるものとする。閾値判定部１１２によって、非自店メダル数が所定の枚数以上であると判定されると、カメラ１０２によって計数者の顔画像が撮像される（ステップＳ２０３）。そして、計数者の顔画像は、照合要求送信部１１４から照合要求としてメダル数およびレシートＩＤとともにホールコンピュータ３００へ送信される（ステップＳ２０４）。
【００６１】
ホールコンピュータ３００の照合要求受信部３０２によって照合要求が受信されると、画像照合部３０６によって、計数者の顔画像と非自店メダル計数ＤＢ部３０４に記憶された顔画像とが照合される（ステップＳ２０５）。非自店メダル計数ＤＢ部３０４には、例えば図７に示すようなテーブルが記憶されており、過去に所定枚数以上の非自店メダル計数を行った人物の顔画像が日時やレシートＩＤなどと対応付けて記憶されている。計数者が非自店メダル計数の常習者であれば、この計数者の顔画像は、非自店メダル計数ＤＢ部３０４のテーブルに多く記憶されており、多くの顔画像が今回撮像された顔画像と合致することになる。
【００６２】
顔画像の照合が行われた後、今回撮像された計数者の顔画像は、日時やレシートＩＤなどと対応付けられ、データ登録部３０８によって非自店メダル計数ＤＢ部３０４に登録される（ステップＳ２０６）。こうして、同一の計数者が以降も所定枚数以上の非自店メダルを計数した場合は、非自店メダル計数ＤＢ部３０４に記憶されたさらに多くの顔画像が合致することになる。
【００６３】
一方、顔画像の照合により得られた合致件数は、合致件数判定部３１０によって所定の閾値以上であるか否かが判定される。ここでは、計数者が非自店メダル計数の常習者であるため、合致件数は所定の閾値以上であり、その旨の判定結果が判定結果送信部３１２からメダル計数機１００へ送信される（ステップＳ２０７）。合致件数判定部３１０によって合致件数と比較される所定の閾値は、非自店メダル計数を常習的に行っていると判断される最低回数に他ならない。また、より確実に常習者を特定するためには、現時点までの一定期間内における合致件数を所定の閾値と比較し、より短期間に非自店メダル計数を繰り返し行っている計数者を特定するようにしても良い。
【００６４】
メダル計数機１００の判定結果受信部１１６によって判定結果が受信されると、レシート種別決定部１１８によって、通常レシートを発行すべきか特殊レシートを発行すべきかが決定される。ここでは、画像照合における合致件数が所定の閾値以上である旨の判定結果が受信されるため、計数者は非自店メダル計数の常習者であると判断され、通常レシートとは異なる特殊レシートを発行すると決定される（ステップＳ２０８）。そして、特殊レシートを発行する旨とメダル数およびレシートＩＤを含むレシート内容がレシート発行機２００へ送信される（ステップＳ２０９）。
【００６５】
レシート発行機２００は、例えば通常レシートを発行する場合とは異なる紙色や印字色によって、メダル計数機１００から送信されたレシート内容が記載された特殊レシートを発行する（ステップＳ２１０）。発行された特殊レシートは、計数者によって景品管理装置４００を操作する係員へ渡されるが、レシートが特殊レシートであることから、係員はこの計数者が非自店メダル計数の常習者であることを知り、注意または警告を与えることができる。特殊レシートは、係員によって通常レシートと異なることが確認できるものであれば良いので、通常レシートと紙色や印字色を変えるのではなく、特定のマークを記載するなどとしても良い。
【００６６】
以上のように、本実施の形態によれば、メダル計数機に投入されたメダルを画像処理によって自店メダルであるか否か判別し、非自店メダルが所定枚数以上混入している場合は、計数者の顔画像を撮像し、過去の非自店メダル計数者の顔画像と照合することによって今回の計数者が非自店メダル計数の常習者であるか否か判定する。そして、非自店メダル計数の常習者には、通常のレシートとは異なる特殊なレシートを発行する。このため、既存の自店メダルを変更することなく、非自店メダルを複数回計数した計数者を特定することができ、コストの増大を抑制しつつ、頻繁に非自店メダルを持ち込む常習者を特定することができる。
【００６７】
（実施の形態２）
本発明の実施の形態２の特徴は、非自店メダル計数の常習者が特定された場合に、この常習者をレシートで識別するのではなく、景品管理装置担当の係員へ警告を発する点である。
【００６８】
本実施の形態に係る遊技システムの概略は、実施の形態１と同様であるため、その説明を省略する。ただし、本実施の形態においては、レシート発行機２００は、常に通常のレシートを発行し、たとえ計数者が非自店メダル計数の常習者であっても、特殊なレシートを発行することはない。したがって、計数者は、非自店メダル計数の常習者であると判定された場合にも、通常と変わらないレシートの発行を受けるため、計数者本人が常習者であると判定されたことに気づくことはない。
【００６９】
また、本実施の形態に係るホールコンピュータ３００の構成は、実施の形態１のホールコンピュータ３００（図４）と同様であるため、その説明を省略する。ただし、実施の形態１においては、判定結果送信部３１２は、判定結果をメダル計数機１００へ送信していたのに対し、本実施の形態においては、判定結果送信部３１２は、判定結果を景品管理装置４００へ送信する。
【００７０】
図８は、本実施の形態に係るメダル計数機１００の要部構成を示すブロック図である。同図において、図３と同じ部分には同じ符号を付し、その説明を省略する。図８に示すメダル計数機１００は、図３に示すメダル計数機１００の判定結果受信部１１６およびレシート種別決定部１１８に代えて、レシート内容送信部１５２を有している。
【００７１】
レシート内容送信部１５２は、閾値判定部１１２から通知される自店メダル数および非自店メダル数とレシートＩＤとを含むレシート内容をレシート発行機２００へ通知する。なお、レシート発行機２００から発行されるレシートにおいて、自店メダル数と非自店メダル数を別々に表記しない場合は、自店メダル数および非自店メダル数の代わりに、自店メダル数および非自店メダル数を合算したメダル数をレシート内容に含めても良い。
【００７２】
図９は、本実施の形態に係る景品管理装置４００の要部構成を示すブロック図である。図９に示す景品管理装置４００は、読取部４０２、景品数算出部４０４、判定結果受信部４０６、レシートＩＤ照合部４０８、警告報知部４１０、および表示部４１２を有している。
【００７３】
読取部４０２は、レシート発行機２００で発行され、景品管理装置４００へ計数者が持参するレシートを読み取り、レシートに記載されているレシートＩＤをレシートＩＤ照合部４０８へ通知し、メダル数を景品数算出部４０４へ通知する。レシートＩＤおよびメダル数は、読取部４０２によって読み取りやすいように、例えばバーコードなどとして記載されていても良い。景品数算出部４０４は、メダル数に所定の交換率を乗算して特殊景品の価値で除算することにより、メダル数に対応する特殊景品の数を算出し、表示部４１２へ通知する。
【００７４】
判定結果受信部４０６は、ホールコンピュータ３００による判定結果を受信する。この判定結果は、メダル計数機１００のカメラ１０２によって撮像された計数者が過去にも所定の閾値以上の非自店メダルを計数しているか否かを示しているものであり、計数者が常習的に非自店メダルを持ち込んでいるか否かが判明する。また、判定結果受信部４０６は、計数者が非自店メダル計数の常習者であるという判定結果とともにレシート発行機２００によって発行されるレシートのレシートＩＤを受信する。
【００７５】
レシートＩＤ照合部４０８は、読取部４０２によって読み取られたレシートＩＤと判定結果とともに受信されたレシートＩＤとを照合して、読取部４０２によって読み取られるレシートから、非自店メダル計数の常習者のレシートを検出する。すなわち、レシートＩＤ照合部４０８は、計数者が非自店メダル計数の常習者であるという判定結果が受信された場合に、この判定結果とともに受信されたレシートＩＤと同一のレシートＩＤを読取部４０２によって読み取られたレシートＩＤから検出する。
【００７６】
警告報知部４１０は、読取部４０２によって読み取られたレシートが非自店メダル計数の常習者のレシートであると判明した場合に、レシートを持参した計数者が非自店メダル計数の常習者である旨の警告を発し、表示部４１２に表示させて景品管理装置４００の係員に報知する。
【００７７】
表示部４１２は、景品管理装置４００の係員にのみ確認可能な位置に設けられ、景品数算出部４０４によって算出された特殊景品数および余りメダル数などを表示するとともに、警告報知部４１０によって警告が発せられた場合に、警告を表示する。
【００７８】
次いで、上記のように構成されたメダル計数機１００および景品管理装置４００を有するメダル計数システムの動作について、図１０に示すフロー図を参照しながら説明する。なお、同図において、図５と同じ部分には同じ符号を付し、その詳しい説明を省略する。
【００７９】
計数者がメダル計数機１００にメダルを投入すると（ステップＳ１０１）、投入されたメダルの模様は、メダル判別部１０８によって自店メダル記憶部１０６に記憶されている自店メダルの模様画像と比較され、個々のメダルが自店メダルであるか否かが判別される（ステップＳ１０２）。その後、自店メダルおよび非自店メダルそれぞれの枚数が計数部１１０によって計数され（ステップＳ１０３）、非自店メダルは非自店メダル回収部１２０によって回収される。
【００８０】
計数部１１０の計数によって得られた自店メダル数および非自店メダル数は、閾値判定部１１２へ通知され、非自店メダル数が所定の閾値と比較される（ステップＳ１０４）。この結果、非自店メダル数が所定の閾値未満である場合は（ステップＳ１０４否定）、計数者が意図的な非自店メダルの計数を行っていないと判断され、閾値判定部１１２から自店メダル数および非自店メダル数とレシートＩＤとがレシート内容送信部１５２へ出力される。そして、レシート内容送信部１５２からレシート発行機２００へレシート内容が送信され、レシート発行機２００によってレシートが発行される。発行されたレシートは、計数者によって景品管理装置４００へ持参され、読取部４０２によってレシートＩＤおよびメダル数が読み取られ、レシートＩＤはレシートＩＤ照合部４０８へ通知され、メダル数は景品数算出部４０４へ通知される。
【００８１】
ここでは、計数の結果得られた非自店メダル数が所定の閾値未満であり、計数者の顔画像の照合が行われていないため、判定結果受信部４０６には判定結果が受信されておらず、レシートＩＤ照合部４０８によってレシートＩＤが照合されることもない。したがって、警告報知部４１０から警告が発せられることもない。そこで、景品数算出部４０４によってメダル数に対応する景品数が算出され、算出された景品数が表示部４１２に表示されると、表示された数の特殊景品が払い出され（ステップＳ３０３）、係員によって計数者へ手渡される。
【００８２】
一方、閾値判定部１１２による比較の結果、非自店メダル数が所定の閾値以上である場合は（ステップＳ１０４肯定）、閾値判定部１１２からカメラ１０２へ計数者の顔画像を撮像するよう指示され、カメラ１０２によって計数者の顔画像が撮像される（ステップＳ１０５）。撮像された計数者の顔画像は、照合要求送信部１１４から照合要求としてホールコンピュータ３００へ送信される。また、メダル数およびレシートＩＤを含むレシート内容がレシート内容送信部１５２によってレシート発行機２００へ送信され、レシート発行機２００によってレシートが発行される。発行されたレシートは、計数者によって景品管理装置４００へ持参され、読取部４０２によってレシートＩＤおよびメダル数が読み取られ、レシートＩＤはレシートＩＤ照合部４０８へ通知され、メダル数は景品数算出部４０４へ通知される。
【００８３】
送信された照合要求は、ホールコンピュータ３００の照合要求受信部３０２によって受信され、画像照合部３０６によって、計数者の顔画像と非自店メダル計数ＤＢ部３０４に記憶されている顔画像とが照合される（ステップＳ１０６）。そして、画像照合の結果得られた合致件数が所定の閾値と比較され（ステップＳ１０７）、合致件数が所定の閾値未満である場合は（ステップＳ１０７否定）、計数者が非自店メダル計数の常習者ではないと判断され、その旨の判定結果が判定結果送信部３１２から景品管理装置４００へ送信される。
【００８４】
送信された判定結果は、景品管理装置４００の判定結果受信部４０６によって受信されるが、ここでは、計数者の顔画像の合致件数が所定の閾値未満であり、計数者が非自店メダル計数の常習者ではないと判断されているため、判定結果受信部４０６には非自店メダル計数の常習者に発行されるレシートのレシートＩＤが受信されておらず、レシートＩＤ照合部４０８によってレシートＩＤが照合されることもない。したがって、警告報知部４１０から警告が発せられることもない。そこで、景品数算出部４０４によってメダル数に対応する景品数が算出され、算出された景品数が表示部４１２に表示されると、表示された数の特殊景品が払い出され（ステップＳ３０３）、係員によって計数者へ手渡される。
【００８５】
一方、合致件数判定部３１０による比較の結果、合致件数が所定の閾値以上である場合は（ステップＳ１０７肯定）、計数者が非自店メダル計数の常習者であると判断され、その旨の判定結果がこの計数者に対してレシート発行機２００から発行されるレシートのレシートＩＤとともに判定結果送信部３１２から景品管理装置４００へ送信される。
【００８６】
送信された判定結果およびレシートＩＤは、景品管理装置４００の判定結果受信部４０６によって受信され、レシートＩＤ照合部４０８によって、読取部４０２によって読み取られたレシートＩＤが判定結果受信部４０６に受信されたレシートＩＤと照合される。ここでは、計数者が非自店メダル計数の常習者であるため、この計数者が景品管理装置４００へ持参したレシートのレシートＩＤと判定結果受信部４０６に受信されたレシートＩＤとが合致する。このため、警告報知部４１０によって、レシートを持参した計数者が非自店メダル計数の常習者である旨の警告が表示部４１２に表示される（ステップＳ３０１）。
【００８７】
また、景品数算出部４０４によってメダル数に対応する景品数が算出され、算出された景品数が表示部４１２に表示されると、表示された数の特殊景品が発行されるとともに（ステップＳ３０２）、表示部４１２に表示された警告を確認した係員によって、例えば非自店メダルの持込に対する注意・指導などがなされる。
【００８８】
次に、計数者が非自店メダル計数の常習者である場合のメダル計数機１００、景品管理装置４００、およびホールコンピュータ３００のそれぞれの動作について、図１１に示すシーケンス図を参照しながら説明する。図１１において、図６と同じ動作については同じ符号を付している。
【００８９】
非自店メダルの計数を頻繁に行う常習者は、非自店メダルのみを計数するのではなく、遊技によって得られた賞メダル（自店メダル）に非自店メダルを加えて計数することが多いと考えられる。つまり、計数者が非自店メダル計数の常習者である場合、メダル計数機１００には、自店メダルに非自店メダルが混入した状態のメダルが投入される。これらのメダルは、メダル計数機１００のメダル判別部１０８によって自店メダルであるか非自店メダルであるか判別される（ステップＳ２０１）。判別されたメダルは、計数部１１０によって計数され、非自店メダルのみが非自店メダル回収部１２０によって回収される（ステップＳ２０２）。これにより、非自店メダルが遊技店内のメダル循環経路から外れ、遊技店内を循環することがない。
【００９０】
自店メダル数および非自店メダル数は、閾値判定部１１２へ通知され、非自店メダル数が所定枚数以上であるか否かが判定される。ここでは、計数者が非自店メダル計数の常習者であるため、非自店メダル数が所定の枚数以上であるものとする。閾値判定部１１２によって、非自店メダル数が所定の枚数以上であると判定されると、カメラ１０２によって計数者の顔画像が撮像される（ステップＳ２０３）。そして、計数者の顔画像は、照合要求送信部１１４から照合要求としてメダル数およびレシートＩＤとともにホールコンピュータ３００へ送信される（ステップＳ２０４）。
【００９１】
ホールコンピュータ３００の照合要求受信部３０２によって照合要求が受信されると、画像照合部３０６によって、計数者の顔画像と非自店メダル計数ＤＢ部３０４に記憶された顔画像とが照合される（ステップＳ２０５）。計数者が非自店メダル計数の常習者であれば、この計数者の顔画像は、非自店メダル計数ＤＢ部３０４のテーブルに多く記憶されており、多くの顔画像が今回撮像された顔画像と合致することになる。
【００９２】
顔画像の照合が行われた後、今回撮像された計数者の顔画像は、日時やレシートＩＤなどと対応付けられ、データ登録部３０８によって非自店メダル計数ＤＢ部３０４に登録される（ステップＳ２０６）。こうして、同一の計数者が以降も所定枚数以上の非自店メダルを計数した場合は、非自店メダル計数ＤＢ部３０４に記憶されたさらに多くの顔画像が合致することになる。
【００９３】
一方、顔画像の照合により得られた合致件数は、合致件数判定部３１０によって所定の閾値以上であるか否かが判定される。ここでは、計数者が非自店メダル計数の常習者であるため、合致件数は所定の閾値以上であり、その旨の判定結果がこの計数者に対して発行されるレシートＩＤとともに判定結果送信部３１２から景品管理装置４００へ送信される（ステップＳ４０２）。また、ホールコンピュータ３００によって画像照合が行われている間に、メダル計数機１００からレシート発行機２００へレシート内容が送信され、レシート発行機２００によってメダル数およびレシートＩＤが記載されたレシートが発行される。このレシートは、計数者によって景品管理装置４００へ持参され、読取部４０２によってメダル数およびレシートＩＤが読み取られる（ステップＳ４０１）。
【００９４】
そして、景品管理装置４００の判定結果受信部４０６によって判定結果およびレシートＩＤが受信されると、レシートＩＤ照合部４０８によって、受信されたレシートＩＤと読み取られたレシートＩＤとが照合される。ここでは、計数者が非自店メダル計数の常習者であるため、レシートＩＤが合致し、警告報知部４１０によって表示部４１２に警告が表示される（ステップＳ４０３）。なお、警告は、所定のランプが点灯するなどの簡易なものでも良いが、判定結果およびレシートＩＤとともに、非自店メダル計数の常習者と特定された計数者の顔画像が判定結果受信部４０６に受信されるようにしておき、警告とともに受信された顔画像が表示部４１２に表示されるようにしても良い。こうすることにより、景品管理装置４００の係員は、表示された顔画像と実際の計数者の顔を比較しながら、計数者が非自店メダル計数の常習者であることを確実に確認することができる。
【００９５】
また、景品数算出部４０４によって、読取部４０２によって読み取られたメダル数から特殊景品数および余りメダル数が算出され、表示部４１２に表示される。そして、表示された数の特殊景品が発行されると（ステップＳ４０４）、係員から特殊景品が計数者へ手渡される。このとき、係員は、表示部４１２に表示される警告により、計数者が非自店メダル計数の常習者であることを確認しているため、計数者に対して非自店メダルの持ち込みに対する注意・指導を行うことができる。
【００９６】
以上のように、本実施の形態によれば、メダル計数機に投入されたメダルを画像処理によって自店メダルであるか否か判別し、非自店メダルが所定枚数以上混入している場合は、計数者の顔画像を撮像し、過去の過去の非自店メダル計数者の顔画像と照合することによって今回の計数者が非自店メダル計数の常習者であるか否か判定する。そして、非自店メダル計数の常習者がレシートを景品管理装置に持参すると、景品管理装置に警告が表示される。このため、既存の自店メダルを変更することなく、非自店メダルを複数回計数した計数者を特定することができ、コストの増大を抑制しつつ、頻繁に非自店メダルを持ち込む常習者を特定することができる。また、レシート自体は、非自店メダル計数の常習者でも通常と変わらないため、常習者と特定されたことが計数者本人に気づかれることがない。
【００９７】
なお、上記各実施の形態においては、メダル計数機１００が非自店メダルを所定枚数以上計数した計数者のみを撮像するものとしたが、非自店メダル数に関わらずすべての計数者を撮像し、ホールコンピュータ３００は、すべての計数者の顔画像とメダル数および非自店メダル数とを対応付けたデータを時系列に記憶しておいても良い。この場合、計数者が非自店メダル計数の常習者であれば、同一の計数者について、非自店メダル数が所定枚数以上であることを示すデータが連続して記憶されていることになる。一方、計数者が非自店メダル計数の常習者でなければ、同一の計数者について、非自店メダル数が所定枚数以上であることを示すデータは連続しない。
【００９８】
そこで、ホールコンピュータ３００は、新たに計数者の顔画像が取得された場合、この計数者について、非自店メダル数が所定枚数以上であることを示すデータが連続しているか否かによって、計数者が非自店メダル計数の常習者であるか否かを判定しても良い。こうすることにより、より確実に非自店メダル計数の常習者を特定することができる。
【００９９】
また、上記各実施の形態においては、特殊レシートまたは警告により、即時的に非自店メダル計数の常習者を特定するものとしたが、ホールコンピュータ３００の非自店メダル計数ＤＢ部３０４に所定数以上の画像が記憶されている遊技客を抽出し、非自店メダル計数の常習者のブラックリストとして管理しても良い。
【０１００】
さらに、上記各実施の形態においては、ホールコンピュータ３００において非自店メダル計数の常習者を特定するものとしたが、上記各実施の形態のように非自店メダル計数の常習者と特定する機能を専用の管理装置に設けたり、同様の機能を遊技店内の他の装置に設けたりしても良い。
【産業上の利用可能性】
【０１０１】
本発明は、コストの増大を抑制しつつ、頻繁に非自店メダルを持ち込む常習者を特定する場合に適している。
【図面の簡単な説明】
【０１０２】
【図１】本発明の実施の形態に係る遊技システムの概略図である。
【図２】本発明の実施の形態１に係るメダル計数機およびレシート発行機の外観を示す図である。
【図３】実施の形態１に係るメダル計数機の要部構成を示すブロック図である。
【図４】実施の形態１に係るホールコンピュータの要部構成を示すブロック図である。
【図５】実施の形態１に係るメダル計数システムの動作を示すフロー図である。
【図６】実施の形態１に係るメダル計数システムの動作の具体例を示すシーケンス図である。
【図７】実施の形態１に係る非自店メダル計数データベースの一例を示す図である。
【図８】本発明の実施の形態２に係るメダル計数機の要部構成を示すブロック図である。
【図９】実施の形態２に係る景品管理装置の要部構成を示すブロック図である。
【図１０】実施の形態２に係るメダル計数システムの動作を示すフロー図である。
【図１１】実施の形態２に係るメダル計数システムの動作の具体例を示すシーケンス図である。
【符号の説明】
【０１０３】
１０２  カメラ
１０４  自店メダル登録部
１０６  自店メダル記憶部
１０８  メダル判別部
１１０  計数部
１１２  閾値判定部
１１４  照合要求送信部
１１６、４０６  判定結果受信部
１１８  レシート種別決定部
１２０  非自店メダル回収部
１５２  レシート内容送信部
３０２  照合要求受信部
３０４  非自店メダル計数ＤＢ部
３０６  画像照合部
３０８  データ登録部
３１０  合致件数判定部
３１２  判定結果送信部
４０２  読取部
４０４  景品数算出部
４０８  レシートＩＤ照合部
４１０  警告報知部
４１２  表示部
【図１】
2007143934.tif 000003
【図２】
2007143934.tif 000004
【図３】
2007143934.tif 000005
【図４】
2007143934.tif 000006
【図５】
2007143934.tif 000007
【図６】
2007143934.tif 000008
【図７】
2007143934.tif 000009
【図８】
2007143934.tif 000010
【図９】
2007143934.tif 000011
【図１０】
2007143934.tif 000012
【図１１】
2007143934.tif 000013